(57)【要約】【課題】棒状化粧料を折れにくく、かつ抜けにくくした棒状化粧料の把持機構を提供する。【解決手段】棒状化粧料の把持機構１０は、カートリッジ筒１１の内周壁１１ａに４個の爪片１２を設け、チャック爪片１２でカートリッジ筒１１内の棒状化粧料１４の根元部１４ａを把持し、カートリッジ筒１１を収納容器内に昇降動自在に収納し、カートリッジ筒１１を昇降動することにより棒状化粧料１４を収納位置と、突出位置とに配置するものである。棒状化粧料の把持機構１０は、棒状化粧料１４の根元部１４ａの外周壁にフィルム１５を巻き付けて、フィルム１５の外径寸法Ｄ１を、棒状化粧料１４の外径寸法Ｄ２より大きく形成し、かつフィルム１５の高さ寸法Ｈ１を、爪片１２が棒状化粧料１４を把持する位置Ｐより低い位置に来るようにセットしたものである。【選択図】  図２
2004329239.tif 000002
【特許請求の範囲】
【請求項１】
化粧料容器内で昇降動自在となるカートリッジ筒の内周壁に、周方向に複数のチャック爪片を所定間隔を存して取り付け、このチャック爪片でカートリッジ筒内の棒状化粧料の根元部を把持し、前記カートリッジ筒を昇降動させることにより棒状化粧料を収納位置と、突出位置とに移動できるようにした棒状化粧料の把持機構において、
前記棒状化粧料の根元部の外周壁にフィルムを巻き付け、この巻き付け状態のフィルムの外径寸法を、棒状化粧料の外径寸法より大きく形成し、かつ巻き付け状態のフィルムの上端位置を、チャック爪片が棒状化粧料を把持する位置より低い位置に来るようにセットしたことを特徴とする棒状化粧料の把持機構。
【請求項２】
化粧料容器内で昇降動自在となるカートリッジ筒の内周壁に、周方向に複数のチャック爪片を所定間隔を存して取り付け、このチャック爪片でカートリッジ筒内の棒状化粧料の根元部を把持し、前記カートリッジ筒を昇降動させることにより棒状化粧料を収納位置と、突出位置とに移動できるようにした棒状化粧料の把持機構において、
前記棒状化粧料の根元部の外周壁にパイプを取り付け、このパイプの外径寸法を、棒状化粧料の外径寸法より大きく形成し、かつパイプの上端位置を、チャック爪片が棒状化粧料を把持する位置より低い位置に来るようにセットしたことを特徴とする棒状化粧料の把持機構。
【発明の詳細な説明】
【０００１】
【発明の属する技術分野】
本発明は棒状化粧料の把持機構に係り、さらに詳しくは、化粧料容器内で昇降動自在に収められたカートリッジ筒の内周壁に、周方向に複数のチャック爪片を取り付け、このチャック爪片でカートリッジ筒内の棒状化粧料の根元部を把持するようにした棒状化粧料の把持機構に関する。
【０００２】
【従来の技術】
従来より、棒状化粧料の把持機構の中には、カートリッジ筒の内周壁に周方向に突起する爪状を呈するチャック爪片を取り付け、このチャック爪片でカートリッジ筒内の棒状化粧料の根元部を把持するようにしたものがある（例えば、特許文献１参照）。
【０００３】
【特許文献１】
特許第３０７３９８９号公報（第５頁、第１〜４図）
【０００４】
この棒状化粧料の把持機構は、押棒の上端にチャック爪片を４個設け、このチャック爪片を棒状化粧料の根元部を囲う状態で配置し、このチャック爪片で棒状化粧料の根元部を把持するものである。このように、押棒を容器本体内に昇降動自在に収納するとともに、棒状化粧料をカートリッジ筒内に収納している。
そして、化粧料容器内で押棒を昇降させることにより、棒状化粧料を化粧料容器から出没できるように構成している。
【０００５】
【発明が解決しようとする課題】
しかし、この棒状化粧料の把持機構は、その棒状化粧料をチャック爪片から抜け出さないようにするために、棒状化粧料の根元部をチャック爪片で強く抑え付けるものであった。このとき、棒状化粧料の根元部をチャック爪片で把持させるため、棒状化粧料をカートリッジ筒内に強く押し込むこととなり、そのとき棒状化粧料はチャック爪片でその周壁面が削られ、チャック爪片から抜けやすくなるという問題があった。
【０００６】
さらに、棒状化粧料の根元部をカートリッジ筒内に押し込んだ際に、棒状化粧料の強度が低下して簡単に折れやすくなるという問題点もあった。
特に、使用用途に合わせて軟らかめに成形される棒状化粧料や、芯径寸法を細くした棒状化粧にあっては、その傾向が顕著であった。
【０００７】
この発明は、棒状化粧料を折れにくく、かつ抜けにくくした棒状化粧料の把持機構を提供して、上述の全ての問題点を解消しようとするものである。
【０００８】
【課題を解決するための手段】
上記目的を達成するために、請求項１記載の発明は、化粧料容器内で昇降動自在となるカートリッジ筒の内周壁に、周方向に複数のチャック爪片を所定間隔を存して取り付け、このチャック爪片でカートリッジ筒内の棒状化粧料の根元部を把持し、前記カートリッジ筒を昇降動させることにより棒状化粧料を収納位置と、突出位置とに移動できるようにした棒状化粧料の把持機構において、前記棒状化粧料の根元部の外周壁にフィルムを巻き付け、この巻き付け状態のフィルムの外径寸法を、棒状化粧料の外径寸法より大きく形成し、かつ巻き付け状態のフィルムの上端位置を、チャック爪片が棒状化粧料を把持する位置より低い位置に来るようにセットしたことを特徴とする。
【０００９】
棒状化粧料の根元部の外周壁にフィルムを巻き付け、この巻き付け状態のフィルムの外径寸法を、棒状化粧料の外径寸法より大きく形成し、かつ巻き付け状態のフィルムの上端位置を、チャック爪片が棒状化粧料を把持する位置より低い位置に来るようにセットした。
このため、棒状化粧料をカートリッジ筒に装着する際に、棒状化粧料の根元部はフィルムで保護されているため、根元部にチャック爪片によるストレスはまったくかからず、装着が終了した場合にはフィルムの上端位置のすぐ上方に位置する棒状化粧料がチャック爪片で把持されることになる。
また、フィルムの外径寸法を棒状化粧料の外径寸法より大きく形成したので、棒状化粧料に対するチャック爪片の把持力がある程度緩くなった場合でも、チャック爪片の下部がフィルム上端部に当接し、棒状化粧料の抜け止め効果が一層確実なものとなる。
【００１０】
このように、棒状化粧料に対するチャック爪片の把持力がある程度緩くなった場合でも、棒状化粧料の抜け止め効果が確保されるので、棒状化粧料のカートリッジ筒への取り付け時に、比較的緩い取り付けを行っても棒状化粧料の脱落事故は起こりにくく、一方棒状化粧料の強度の低下を招来しにくくなったので、棒状化粧料が折れるという事故を回避できることとなった。
【００１１】
請求項２は、化粧料容器内で昇降動自在となるカートリッジ筒の内周壁に、周方向に複数のチャック爪片を所定間隔を存して取り付け、このチャック爪片でカートリッジ筒内の棒状化粧料の根元部を把持し、前記カートリッジ筒を昇降動させることにより棒状化粧料を収納位置と、突出位置とに移動できるようにした棒状化粧料の把持機構において、前記棒状化粧料の根元部の外周壁にパイプを取り付け、このパイプの外径寸法を、棒状化粧料の外径寸法より大きく形成し、かつパイプの上端位置を、チャック爪片が棒状化粧料を把持する位置より低い位置に来るようにセットしたことを特徴とする。
【００１２】
棒状化粧料の根元部の外周壁にパイプを設け、このパイプの外径寸法を、棒状化粧料の外径寸法より大きく形成し、かつパイプの上端位置を、チャック爪片が棒状化粧料を把持する位置より低い位置に来るようにセットした。
このため、棒状化粧料をカートリッジ筒に装着する際に、棒状化粧料の根元部はパイプで保護されるため、根元部にチャック爪片によるストレスはまったくかからず、装着が終了した場合にはパイプの上端位置のすぐ上方に位置する棒状化粧料がチャック爪片で把持されることになる。
また、パイプの外径寸法を棒状化粧料の外径寸法より大きく形成したので、棒状化粧料に対するチャック爪片の把持力がある程度緩くなった場合でも、チャック爪片の下部がパイプ上端部に当接し、棒状化粧料の抜け止め効果が一層確実なものとなる。
【００１３】
このように、棒状化粧料に対するチャック爪片の把持力がある程度緩くなった場合でも、棒状化粧料の抜け止め効果が確保されるので、棒状化粧料のカートリッジ筒への取り付け時に、比較的緩い取り付けを行っても棒状化粧料の脱落事故は起こりにくく、一方棒状化粧料の強度の低下を招来しにくくなったので、棒状化粧料が折れるという事故を回避できることとなった。
【００１４】
【発明の実施の形態】
以下添付図面に基づいて、本発明に係る棒状化粧料の把持機構の一実施の形態を詳説する。
【００１５】
図１は本発明に係る棒状化粧料の把持機構の第１実施の態様を示す断面図（棒状化粧料をカートリッジ筒に差し込む途中の状態）を示し、図２は同断面図（棒状化粧料をカートリッジ筒に差し込み完了した状態）を示している。図３は本発明に係る棒状化粧料の把持機構の第２実施の態様を示す断面図（棒状化粧料をカートリッジ筒に差し込む途中の状態）を示し、図４は同断面図（棒状化粧料をカートリッジ筒に差し込み完了した状態）を示している。
【００１６】
図１〜図２に示すように、第１実施の形態の棒状化粧料の把持機構１０は、カートリッジ筒１１の内周壁１１ａに周方向に４個のチャック爪片１２を所定間隔（一例として、等間隔）を存して取り付け、このチャック爪片１２でカートリッジ筒１１内の棒状化粧料１４の根元部１４ａを把持し、カートリッジ筒１１を化粧料容器（図示せず）内に昇降動自在に収納し、カートリッジ筒１１を昇降動させることにより、棒状化粧料１４を収納位置（未使用時）と、突出位置（使用時）とに配置するものである。
【００１７】
本発明の棒状化粧料の把持機構１０は、棒状化粧料１４の根元部１４ａの外周壁にフィルム１５を巻き付けたものであり、このフィルム１５の存在により根元部１４は保護され、図１の状態から図２の状態に棒状化粧料１４をカートリッジ筒１１に差し込む際には、その根元部１４ａの部分にチャック爪１２で傷をつけるのを防止できるようになっている。
上記のフィルム１５は粘着剤つきフィルムとすることが好ましく、この粘着剤つきフィルムの材質例としては、セロハン、ビニル、パラフィン、ＰＥＴ、ＰＰ、ＬＤＰＥ（低密度ポリエチレン）、ＬＬＤＰＥ（直鎖状低密度ポリエチレン）、ナイロンなどがある。
【００１８】
カートリッジ筒１１とチャック爪片１２とは一体的に形成されているが、棒状化粧料１４の根元部１４ａを通過させる際には、チャック爪片１２がわずかに撓むように拡開変形してチャック爪片１２の拡開幅を広げる。
この状態で根元部１４ａを下方に押し込むと、フィルム１５の表面をチャック爪片１２の先端が擦るように移動し、フィルム１５の上端部がチャック爪片１２位置を通過すると、チャック爪片１２は復元力でフィルム１５に囲まれていない棒状化粧料１４に食い込む。このようにして、根元部１４にはまったく傷のない棒状化粧料１４が完成する。このため、フィルム１５を巻き付けた棒状化粧料１４の根元部１４ａのすぐ上方の棒状化粧料１４位置を、チャック爪片１２が把持することになる。
【００１９】
また第１実施の形態では、フィルム１５の外径寸法Ｄ１を、棒状化粧料１４の外径寸法Ｄ２より大きく形成し、かつフィルム１５の高さ寸法Ｈ１を、チャック爪片１２が棒状化粧料１４を把持する位置Ｐより低い位置に来るようにセットしている。
このように、巻き付け状態のフィルム１５の外径寸法Ｄ１を、棒状化粧料１４の外径寸法Ｄ２より大きく形成することにより、棒状化粧料１４に対するチャック爪片１２の把持力がある程度緩くなっても、チャック爪片１２の下端がフィルム１５の上端に当接しているため、棒状化粧料１４がチャック爪片１２から抜け出すことは確実に防止される。
【００２０】
このように、棒状化粧料１４に対するチャック爪片１２の把持力をある程度緩くすることもできるので、図１に示すように棒状化粧料１４の根元部１４ａを矢印の方向に押し込む際に、棒状化粧料１４の根元部１４ａをチャック爪片１２に比較的弱い押込力で差し込むこともできるようになる。
【００２１】
さらに、棒状化粧料１４の根元部１４ａを押し込んでチャック爪片１２に装着した後でも（図２参照）、チャック爪片１２で棒状化粧料１４の根元部１４ａを強く抑え付ける必要がないので、爪片１２の押付力によるストレスを軽減させることができる。
【００２２】
つぎに、図３〜図４に基づいて本発明に係る棒状化粧料の把持機構の第２実施の形態について説明する。なお、第２実施の形態において第１実施の形態と同一部材については同じ符号を付して説明を省略する。
【００２３】
図３〜図４に示すように、第２実施の形態の棒状化粧料の把持機構２０は、カートリッジ筒１１の内周壁１１ａに周方向に４個のチャック爪片１２を所定間隔（一例として、等間隔）を存して取り付け、このチャック爪片１２でカートリッジ筒１１内の棒状化粧料１４の根元部１４ａを把持し、カートリッジ筒１１を化粧料容器（図示せず）内に昇降動自在に収納し、カートリッジ筒１１を昇降動させることにより、棒状化粧料１４を収納位置（未使用時）と、突出位置（使用時）とに配置するものである。
【００２４】
本発明の棒状化粧料の把持機構２０は、棒状化粧料１４の根元部１４ａの外周壁にパイプ２５を取り付けたものであり、このパイプ２５の存在により根元部１４は保護され、図３の状態から図４の状態に棒状化粧料１４をカートリッジ筒１１に差し込む際には、その根元部１４ａの部分にチャック爪１２で傷をつけるのを防止できるようになっている。
上記のパイプ２５の材質例としては、ＬＤＰＥ（低密度ポリエチレン）、ＬＬＤＰＥ（直鎖状低密度ポリエチレン）などがある。
【００２５】
カートリッジ筒１１とチャック爪片１２とは一体的に形成されているが、棒状化粧料１４の根元部１４ａを通過させる際には、チャック爪片１２がわずかに撓むように拡開変形してチャック爪片１２の拡開幅を広げる。
この状態で根元部１４ａを下方に押し込むと、パイプ２５の表面をチャック爪片１２の先端が擦るように移動し、パイプ２５の上端部がチャック爪片１２位置を通過すると、チャック爪片１２は復元力でパイプ２５に囲まれていない棒状化粧料１４に食い込む。このようにして、根元部１４にはまったく傷のない棒状化粧料１４が完成する。このため、パイプ２５を取り付けた棒状化粧料１４の根元部１４ａのすぐ上方の棒状化粧料１４位置を、チャック爪片１２が把持することになる。
【００２６】
パイプ２５の外径寸法Ｄ３を、棒状化粧料１４の外径寸法Ｄ２より大きく形成し、かつパイプ２５の高さ寸法Ｈ２を、チャック爪片１２が棒状化粧料１４を把持する位置Ｐより低い位置に来るようにセットする。
このように、パイプ２５の外径寸法Ｄ３を、棒状化粧料１４の外径寸法Ｄ２より大きく形成したので、棒状化粧料１４に対するチャック爪片１２の把持力がある程度緩くなっても、チャック爪片１２の下端がパイプ２５の上端に当接しているため、棒状化粧料１４がチャック爪片１２から抜け出すことは確実に防止される。
【００２７】
このように、棒状化粧料１４に対するチャック爪片１２の把持力をある程度緩くすることもできるので、図３に示すように棒状化粧料１４の根元部１４ａを矢印の方向に押し込む際に、棒状化粧料１４の根元部１４ａをチャック爪片１２に比較的弱い押込力で差し込めるようになる。
【００２８】
さらに、棒状化粧料１４の根元部１４ａを押し込んでチャック爪片１２に装着した後でも（図４参照）、チャック爪片１２で棒状化粧料１４の根元部１４ａを強く抑え付ける必要がないので、爪片１２の押付力によるストレスを軽減させることができる。
【００２９】
なお、前記実施の形態で示したカートリッジ筒１１やチャック爪片１２は、一例を示したもので、カートリッジ筒１１やチャック爪片１２の形状は適宜変更することができる。
さらに、前記実施の形態では、チャック爪片１２を４個設けた例について説明したが、チャック爪片１２の個数は適宜選択することができる。
【００３０】
また、前記実施の形態では、チャック爪片１２の断面形状を三角形状に形成したが、これに限られることなく、チャック爪片１２の断面形状を、例えば湾曲状に形成することも可能である。
【００３１】
【発明の効果】
以上述べたように、請求項１による棒状化粧料の把持機構によれば、棒状化粧料の根元部の外周壁にフィルムを巻き付けて、フィルムの外径寸法を棒状化粧料の外径寸法より大きくし、かつフィルムの上端位置をチャック爪片が棒状化粧料を把持する位置より低い位置に来るようにセットした。
【００３２】
このため、棒状化粧料をカートリッジ筒に装着する際に、棒状化粧料の根元部はフィルムで保護されているため、根元部にチャック爪片によるストレスはまったくかからず、装着が終了した場合にはフィルムの上端位置のすぐ上方に位置する棒状化粧料がチャック爪片で把持されることになる。
また、フィルムの外径寸法を棒状化粧料の外径寸法より大きく形成したので、棒状化粧料に対するチャック爪片の把持力がある程度緩くなった場合でも、チャック爪片の下部がフィルム上端部に当接し、棒状化粧料の抜け止め効果が一層確実なものとなる。
【００３３】
このように、棒状化粧料に対するチャック爪片の把持力がある程度緩くなった場合でも、棒状化粧料の抜け止め効果が確保されるので、棒状化粧料のカートリッジ筒への取り付け時に、比較的緩い取り付けを行っても棒状化粧料の脱落事故は起こりにくく、一方棒状化粧料の強度の低下を招来しにくくなったので、棒状化粧料が折れるという事故を回避できることとなった。
【００３４】
請求項２による棒状化粧料の把持機構によれば、棒状化粧料の根元部の外周壁にパイプを取り付けて、パイプの外径寸法を棒状化粧料の外径寸法より大きくし、かつパイプの上端位置をチャック爪片が棒状化粧料を把持する位置より低い位置に来るようにセットした。
【００３５】
このため、棒状化粧料をカートリッジ筒に装着する際に、棒状化粧料の根元部はパイプで保護されているため、根元部にチャック爪片によるストレスはまったくかからず、装着が終了した場合にはパイプの上端位置のすぐ上方に位置する棒状化粧料がチャック爪片で把持されることになる。
また、パイプの外径寸法を棒状化粧料の外径寸法より大きく形成したので、棒状化粧料に対するチャック爪片の把持力がある程度緩くなった場合でも、チャック爪片の下部がパイプ上端部に当接し、棒状化粧料の抜け止め効果が一層確実なものとなる。
【００３６】
このように、棒状化粧料に対するチャック爪片の把持力がある程度緩くなった場合でも、棒状化粧料の抜け止め効果が確保されるので、棒状化粧料のカートリッジ筒への取り付け時に、比較的緩い取り付けを行っても棒状化粧料の脱落事故は起こりにくく、一方棒状化粧料の強度の低下を招来しにくくなったので、棒状化粧料が折れるという事故を回避できることとなった。
【図面の簡単な説明】
【図１】本発明に係る棒状化粧料の把持機構（第１実施の形態）の棒状化粧料をカートリッジ筒に差し込む途中の状態を示す断面図である。
【図２】本発明に係る第１実施の形態の棒状化粧料をカートリッジ筒に差し込み完了した状態を示す断面図である。
【図３】本発明に係る棒状化粧料の把持機構（第２実施の形態）の棒状化粧料をカートリッジ筒に差し込む途中の状態を示す断面図である。
【図４】本発明に係る第２実施の形態の棒状化粧料をカートリッジ筒に差し込み完了した状態を示す断面図である。
【符号の説明】
１０、２０…棒状化粧料の把持機構
１１…カートリッジ筒
１１ａ…カートリッジ筒の内周壁
１２…爪片（チャック爪片）
１４…棒状化粧料
１４ａ…棒状化粧料の根元部
１５…フィルム
２５…パイプ
【図１】
2004329239.tif 000003
【図２】
2004329239.tif 000004
【図３】
2004329239.tif 000005
【図４】
2004329239.tif 000006